(57)【要約】      （修正有）【課題】外壁用型枠のたわみを修正し、外壁用型枠全体の通りの悪さを少ない人数で手直しすることが可能なたわみ修正具を提供する。【解決手段】桟木と横端太とを用いて建て込まれた外壁用型枠のたわみを修正するたわみ修正具１であって、矩形断面を有する長尺部位１１と短尺部位１２とがＬ字状に直交した本体部３と、外壁用型枠７の上端部を掛止する掛止部材１４が先端に固定され、短尺部位と並行に該掛止部材を移動自在な第１移動手段と、桟木に係合する係合部材１５が先端に固定され、短尺部位と並行に該係合部材を自在に移動させる第２移動手段６と、を備え、長尺部位を下側に、短尺部位を上側に向けた本体部を外壁用型枠で保持すると共に、掛止部材及び係合部材の何れか一方又は双方を移動させることによりたわみを修正することを特徴とする。【選択図】図１
0003208028.tif 000002
【実用新案登録請求の範囲】
【請求項１】
桟木と横端太とを用いて建て込まれた外壁用型枠のたわみを修正するたわみ修正具であって、
矩形断面を有する長尺部位と短尺部位とがL字状に直交した本体部と、
前記外壁用型枠の上端部を掛止する掛止部材が先端に固定され、前記短尺部位と並行に該掛止部材を移動自在な第１移動手段と、
前記桟木に係合する係合部材が先端に固定され、前記短尺部位と並行に該係合部材を自在に移動させる第２移動手段と、を備え、
前記長尺部位を下側に、前記短尺部位を上側に向けた前記本体部を前記外壁用型枠で保持すると共に、前記掛止部材及び前記係合部材の何れか一方又は双方を移動させることにより前記たわみを修正することを特徴とするたわみ修正具。
【請求項２】
前記長尺部位は、前記外壁用型枠の上端部から２番目の前記横端太までの距離よりも長く、長手方向に貫通孔が形成されたものであって、
前記貫通孔に、前記横端太に固定されたボルトを捜通し、前記本体部を該端太に固定することを特徴とする請求項１記載のたわみ修正具。
【請求項３】
前記短尺部位の天面と前記長尺部位の側面とを結合する中間部位を有し、該中間部位を介して該短尺部位と該長尺部位とが直交するものであり、
前記長尺部位は、前記外壁用型枠の上端部から２番目の前記横端太までの距離よりも長く、奥行きが前記桟木の高さと同等であり、該長尺部位を該外壁用型枠と前記横端太との間に挿入することにより前記本体部を該外壁用型枠で保持することを特徴とする請求項１記載のたわみ修正具。
【請求項４】
前記第１移動手段は、上側にむけた前記短尺部位の天面に固定された第１ナット、及び該第１ナットに螺合し、該短尺部位よりも長尺で、先端に前記掛止部材が回転自在に固定されたつまみ付第１長尺ボルを有し、
前記第２移動手段は、上側にむけた前記短尺部位の側面に固定された第２ナット、及び該第２ナットに螺合し、該短尺部位よりも長尺で、先端に前記係合部材が回転自在に固定されたつまみ付第２長尺ボルトを有するものであって、
前記つまみ付第１長尺ボルト及び前記つまみ付第２長尺ボルトのうちの何れか一方又は双方を回すことにより前記外壁用型枠を手前に引き寄せたり、前方に押し出すことにより前記たわみを修正することを特徴とする請求項１から３のうちいずれか1項記載のたわみ修正具。
【考案の詳細な説明】
【技術分野】
【０００１】
本考案は、建込んだ外壁用型枠の横通しをよくするため、せき板のたわみを修正するたわみ修正具に関するものである。
【背景技術】
【０００２】
鉄筋コンクリート造りの地上部分の型枠は、まず地墨に沿って敷桟端太を取り付け、柱、外壁外部側、梁、外壁内部側及び内壁、スラブ、階段等その他の部分の順に建込まれるのが一般的である。そして、型枠の施工不良、精度不良は、打設後にはつりを行う等不要な作業が生じると共に、構造強度に不安をもたらし、建物の出来栄えにも大きな影響を及ぼすので、型枠建込み終了後、コンクリート打設の前に建込み、建入れ、通り、床レベルの水平精度、各部断面や開口部の寸法などの型枠検査が行われる。
外壁断面は、外部側と内部側のせき板間にセパレータを設置して相互の間隔を保持することにより寸法が均一になるようにしている。また外壁用型枠の内部側せき板上端は、スラブ型枠下部に固定されるが、外部側せき板上端は、内部側せき板上端よりも高いので、内部側せき板上端と同レ高さの外部側せき板にセパレータが取り付けられ、内外間の間隔を保持している。
また、地中梁と壁体とを分離して行う場合に、地中梁と壁体のコンクリート打継部分においては、壁体型枠が地中梁の天端よりもやや下方まで重なるようにして既定の躯体幅を確保するが、地中梁にラス板を使用するコンクリート表面に凹凸が生じ、敷端太が水平を維持できずにせき板が傾いてしまうという恐れがあり、ラス板の上端内側に断面がL字状のアングルを着脱自在に取り付けてコンクリート面を平滑にする方法が提案されている（特許文献１参照）。
さらに、外壁が形成された後に、解体した外壁用型枠をそのまま下から上に持ち上げることで、次の階の型枠工事に使用できるように、せき板の上端部及び下端部をそれぞれ同一上下幅で切欠した上端切除部及び下端切除部が形成された本体と、それぞれの切除部に着脱可能に取り付けられる横せき板とを備えた外壁用型枠が提案されている（特許文献２参照）。
また、外壁用型枠の枠部材（桟木）の外側に補強棒（横端太）が設置されているので、コンクリートを打設したときに、せき板が補強棒（横端太）に当接する位置まで外方向に撓んでしまう恐れがある。従って、枠部材（桟木）の両側に補強棒（横端太）の端部を載置する補強棒取り付け部を設け、枠部材（桟木）と補強棒（横端太）補強棒とが同一面でせき板に当接するようにする方法が提案されている（特許文献３参照）。  
【先行技術文献】
【特許文献】
【０００３】
【特許文献１】特許第３３５６８５３号公報
【特許文献１】特開平１０−３１７６６８号公報
【特許文献１】特許第３３２１６７０号公報
【考案の概要】
【考案が解決しようとする課題】
【０００４】
しかしながら、上記の何れの文献にも、型枠検査等において発見された外壁用型枠の通りの悪さを手直しする方法は記載も示唆もなされていない。特に、外部側せき板上端は、内部側せき板上端よりも高いので、その上端は固定されておらず、セパレータの締め具合によってせき板がたわみ、外部側全体が湾曲した状態になっている場合には、その手直しに相当の手間ひまを要している。
上記の事情に鑑み、本考案は、外壁用型枠のたわみを修正し、外壁用型枠全体の通りの悪さを少ない人数で手直しすることが可能なたわみ修正具を提供することを目的とする。
【課題を解決するための手段】
【０００５】
本考案のたわみ修正具は、桟木と横端太とを用いて建て込まれた外壁用型枠のたわみを修正するたわみ修正具であって、矩形断面を有する長尺部位と短尺部位とがL字状に直交した本体部と、上記外壁用型枠の上端部を掛止する掛止部材が先端に固定され、上記短尺部位と並行に該掛止部材を移動自在な第１移動手段と、上記桟木に係合する係合部材が先端に固定され、上記短尺部位と並行に該係合部材を自在に移動させる第２移動手段と、を備え、上記長尺部位を下側に、上記短尺部位を上側に向けた上記本体部を上記外壁用型枠で保持すると共に、上記掛止部材及び上記係合部材の何れか一方又は双方を移動させることにより上記たわみを修正することを特徴とする。
その場合、上記長尺部位は、上記外壁用型枠の上端部から２番目の上記横端太までの距離よりも長く、長手方向に貫通孔が形成されたものであって、上記貫通孔に、上記横端太に固定されたボルトを捜通し、上記本体部を該端太に固定することにしてもよいし、あるいは上記短尺部位の天面と上記長尺部位の側面とを結合する中間部位を有し、該中間部位を介して該短尺部位と該長尺部位とが直交するものであり、上記長尺部位は、上記外壁用型枠の上端部から２番目の上記横端太までの距離よりも長く、奥行きが上記桟木の高さと同等であり、該長尺部位を該外壁用型枠と上記横端太との間に挿入することにより上記本体部を該外壁用型枠で保持することにしてもよい。
このように、外壁用型枠で保持した本体部に設けた掛止部材及び係合部材で外壁用型枠の上端部を掛止し、あるいは桟木を係合して、移動手段で掛止部材を手前に引き寄せたり、係合部材を前方に押し出せば、たわみを修正することができる。
また、上記第１移動手段は、上側にむけた上記短尺部位の天面に固定された第１ナット、及び該第１ナットに螺合し、該短尺部位よりも長尺で、先端に上記掛止部材が回転自在に固定されたつまみ付第１長尺ボルを有し、上記第２移動手段は、上側にむけた上記短尺部位の側面に固定された第２ナット、及び該第２ナットに螺合し、該短尺部位よりも長尺で、先端に上記係合部材が回転自在に固定されたつまみ付第２長尺ボルトを有するものであって、上記つまみ付第１長尺ボルト及び上記つまみ付第２長尺ボルト何れか一方又は双方を回すことにより上記たわみを修正することも好ましい態様である。
このように、短尺部位よりも長尺な、つまみ付第１長尺ボルトボルト及びつまみ付第２長尺ボルトボルトそれぞれの先端に回転自在な掛止部材又は係合部材を固定すれば、つまみを回すことで外壁用型枠上端部に掛止した掛止部材を手前に引き寄せることも、桟木に係合した係合部材を前方に押し出すことも容易に行うことができる。
【考案の効果】
【０００６】
本考案のたわみ修正具を用いれば、桟木と横端太を用いて建込まれた外壁用型枠の、特に外部側せき板上部におけるたわみを一か所あたり一人で作業して修正することができるので、外壁用型枠全体の通りの悪さの手直しを少人数で対処することができる。
【図面の簡単な説明】
【０００７】
【図１】図１は第１の実施形態のたわみ修正具を示す側面図である。
【図２】図２は第１の実施形態のたわみ修正具を右側方から見た斜視図である。
【図３】図３は第１の実施形態のたわみ修正具を左側方から見た斜視図である。
【図４】図４は第１の実施形態の掛止部材の一例を示す図である。
【図５】図５は第１の実施形態の係合部材の一例を示す図である。
【図６】図６は第１実施形態のたわみ修正具を外壁用型枠に設置した状態を一例として示す側面図である。
【図７】図７は第１実施形態のたわみ修正具を外壁用型枠に設置した状態を一例として示す平面図である。
【図８】図８は第２の実施形態のたわみ修正具を示す側面図である。
【図９】図９は第２の実施形態のたわみ修正具を右側方から見た斜視図である。
【図１０】図１０は第２の実施形態のたわみ修正具を左側方から見た斜視図である。
【図１１】図１１は第２実施形態のたわみ修正具を外壁用型枠に設置した状態を一例として示す側面図である。
【図１２】図１２は第２実施形態のたわみ修正具を外壁用型枠に設置した状態を一例として示す平面図である。
【図１３】図１３は外壁用型枠外部側の正面図である。
【考案を実施するための形態】
【０００８】
以下に、本考案のたわみ修正具の実施形態について、図に基づいて説明する。
［第１実施形態］
第１の実施形態のたわみ修正具は、図１３及び後説する図６に示すように、外壁用型枠７の外部側型枠７aと内部側型枠７ｂそれぞれに桟木３１が設置される一方、外部側型枠７a及び内部側型枠７ｂ相互間にセパレータ３２を設置して間隔を一定に保持すると共に、セパレータ３２が設置された位置に横端太（パイプ）３３を渡して抑え座金及びボルト３４で固定している。
図１〜図３は第１の実施形態のたわみ修正具を示す図であり、図１は側面図、図２は右側方から見た斜視図、図３は左側方から見た斜視図である。
図１〜図３に示す第１の実施形態のたわみ修正具１は、矩形断面を有する長尺部位１１と短尺部位１２とがL字状に直交した本体部３と、せき板の上端部を掛止する掛止部材１４が先端に固定され、短尺部位１２と並行にその掛止部材１４を自在に移動する第１移動手段５と、桟木に係合する係合部材１５が先端に固定され、短尺部位１２と並行にその係合部材１５を移動自在な第２移動手段６と、を備えており、長尺部位１１を下側に、短尺部位１２を上側に向けて使用する。
【０００９】
長尺部位１１は、せき板の上端部から２番目の横端太までの距離よりも長く、長手方向に貫通孔１６が形成されており、その貫通孔１６に、横端太を固定するボルトを捜通して固定する。
ここで、長尺部位１１は、５０ｍｍ平方の中空の金属製角柱で、長さは９００ｍｍに設定され、正面から背面へ貫通する貫通孔が幅１５ｍｍ、長さ５５０ｍｍにわたって長手方向に設けられ、短尺部位は、５０ｍｍ×１００ｍｍの中空の角柱で、長さは１５０ｍｍに設定されたものを用いているが、かならずしもこれらの寸法に限定する必要はない。
第１移動手段５は、上側にむけた短尺部位１２の天面に固定された第１ナット１７と、その第１ナット１７に螺合し、短尺部位１２よりも長尺で、先端に掛止部材１４が回転自在に固定されたつまみ付第１長尺ボルト１９を有し、つまみ付第１長尺ボルト１９を回すことにより、先端の掛止部材１４に掛止されたせき板の上端部を手前に引き寄せることができる。
第２移動手段６は、上側にむけた短尺部位１２の側面に固定された第２ナット１８と、その第２ナット１８に螺合し、短尺部位１２よりも長尺で、先端に係合部材１５が回転自在に固定されたつまみ付第２長尺ボルト２０を有し、つまみ付第２長尺ボル２０を回すことにより、先端の係合部材１５に係合された桟木を前方に押し出すことができる。
従ってつまみ付第１長尺ボルト１９及びつまみ付第２長尺ボルト２０何れか一方又は双方を回すことにより外壁用型枠の外部側のせき板のたわみを修正し、外壁用型枠全体の通りをよくすることができる。
本実施形態では、移動手段５として、短尺部位１２に固定された第１ナット１７及び第２ナット１８と、それらに螺合するつまみ付第1長尺ボルト１９及びつまみ付第２長尺ボルト２０とにより構成されているが、せき板を手前に引き寄せ、桟木を前方に押し出すことができれば、必ずしもこの構成に限定されない。
【００１０】
図４は、第１の実施形態の掛止部材の一例を示す図である。
図４に示すように、本実施形態の掛止部材１４は、金属板をクランク状に折り曲げることにより形成され、短辺１４aの一方につまみ付第１長尺ボルト１９が自在に捜通する穴１４ｂがあり、その穴１４ｂに捜通されたつまみ付第１長尺ボルト１９に、その穴１４ｂの径よりも大きな小片１４ｃを２枚捜通し、そのうちの外部側の小片１４ｃを先端に熔接し、他方の小片１４ｃをナット締めしたものである。従って、第１ナット１７に螺合したつまみ付第１長尺ボルト１９を回すと掛止部材１４は静止した状態のまま図の左右方向に移動することができる。
ただし、掛止部材１４を回転自在にする方法は、必ずしも説明したものに限定する必要はなく、つまみ付第１長尺ボルト１９に螺着した筒状部材内部にベアリングを介して回転自在に軸着してもよい。
【００１１】
図５は、第１の実施形態の係合部材の一例を示す図である。
図５に示すように、本実施形態の係合部材１５は、金属板をコ字状に折り曲げることにより形成され、中央につまみ付第２長尺ボルト２０が自在に捜通する穴１５ｂがあり、その穴１５ｂに捜通されたつまみ付第２長尺ボルト２０に、穴１５ｂの径よりも大きな小片１５ｃを２枚捜通し、そのうちの外部側の小片１５ｃを先端に熔接し、他方の小片１５ｃをナット締めしたものである。従って、第２ナット１８に螺合したつまみ付第２長尺ボルト２０を回すと係合部材１５は静止した状態のまま図の左右方向に移動することができる。また、係合部材１５の側部には、ねじ孔１５ｄとそのねじ孔１５ｄにつまみ付短尺ボルト２１が螺合し、そのつまみ付短尺ボルト２１を回すことにより桟木に係合部材１５をしっかりと係合させることができる。
ただし、係合部材１５を回転自在にする方法は、必ずしも説明したものに限定する必要はなく、つまみ付第２長尺ボルト２０に螺着した筒状部材内部に、係合部材１５をベアリングなどで回転自在に軸着してもよい。
【００１２】
図６及び図７は、第１実施形態のたわみ修正具を外壁用型枠に設置した状態を一例として示す図であり、図６は側面図、図７は平面図である。
図６及び図７に示すように、外壁用型枠７は内部側型枠７ｂと外部側型枠７aがセパレータ３２で一定間隔に保持されている。そして、内部側型枠７ｂ及び外部側型枠７aそれぞれは、桟木３１の外側に横端太３３が渡され、横端太３３それぞれを抑え座金及びボルト３４で締め付けて通りがよくなるように支持されている。また、内部側型枠７ｂの抑え座金及びボルト３４には、外壁用型枠が倒れないようにパイプサポート３５及びワイヤーロープ・ターンバックル３６が取り付けられている。また、内部側型枠７ｂの上端部７ｃは、スラブ型枠に固定されている。
本実施形態のたわみ修正具１は、長尺部位１１を下側に、短尺部位１２を上側に向ける。そして、係合部材１５を桟木３１に係合させ、掛止部材１４を外部側型枠（せき板）７aに掛止する一方、桟木３１と横端太３３との間に、逆さまに取り付けた抑え座金及びボルト３４を設置し、長尺部位１１に形成された貫通孔１６（図に現われない）に抑え座金及びボルト３４を捜通してナットで固定することにより設置することができる。
その場合、長尺部位１１は、外部側型枠（せき板）７aの上端から３番目の横端太３３の下に至る長さがあり、外部側型枠（せき板）７aにしっかりと固定することができる。
そして、外部側型枠（せき板）７aが外部側に曲がっているときは、つまみ付第２長尺ボルト２０を回して桟木３１を内部側に押し出し、外部側型枠（せき板）７aが内部側に曲がっているときは、つまみ付第１長尺ボルト１９を回して外部側型枠（せき板）７aを手前に引き寄せる。そして、たわみを修正したら、外部側型枠（せき板）7aに固定されたセパレータ３２にスラブ引きコマ３７を取り付け、そのスラブ引きコマ３７を内部側型枠７ｂの上端部７ｃに釘で固定する。
なお、本実施形態のたわみ修正具１は、コンクリートを打設し、外壁用型枠７を解体する際に取り外すことにすれば、コンクリート打設に伴うたわみにも対応することができる。
【００１３】
[第２実施形態]
第２の実施形態のたわみ修正具２は、第１の実施形態の短尺部位１２天面と長尺部位１３側面との間に中間部位１３を設け、その中間部位１３を介して短尺部位１２と長尺部位１１とが直交し、L字状を形成する点が相違する。そのため、長尺部位１１を外部側型枠７aと横端太３３との間に挿入することにより外壁用型枠７に設置することができる。ただし、第１移動手段５及び第２移動手段６は共通するので、重複する説明は省略し、相違点について説明する。
図８〜図１０は第２の実施形態のたわみ修正具を示す図であり、図８は側面図、図９は右側方から見た斜視図、図１０は左側方から見た斜視図である。
図８〜図１０に示す第２の実施形態のたわみ修正具２は、矩形断面を有する長尺部位１１と短尺部位１２との間に三角の中間部位１３が介在することにより、L字状が形成された本体部４と、せき板の上端部を掛止する掛止部材１４が先端に固定され、短尺部位１２と並行にその掛止部材１４を自在に移動する第１移動手段５と、桟木に係合する係合部材１５が先端に固定され、短尺部位１２と並行にその係合部材１５を移動自在な第２移動手段６と、を備えており、長尺部位１１を下側に、短尺部位１２を上側に向けて使用する。
長尺部位１１は、せき板の上端部から３番目の横端太までの距離よりも長さが長くなっている。
そして、第１移動手段５及び第２移動手段６は、第１の実施形態と同様に、短尺部位１２の天面及び側面それぞれに固定された第１ナット１７及び第２ナット１８と、それらに螺合するつまみ付第１長尺ボルト１９及びつまみ付第２長尺ボルト２０と、つまみ付第１長尺ボルト１９の先端に回転自在に固定された掛止部材１４と、つまみ付第２長尺ボルト２０の先端に回転自在に固定された係合部材１５とにより構成されている。
【００１４】
図１１及び図１２は、第２実施形態のたわみ修正具を外壁用型枠に設置した状態を一例として示す図であり、図１１は側面図、図１２は平面図である。
図１１及び図１２に示すように、外壁用型枠７は内部側型枠７ｂと外部側型枠７aがセパレータ３２で一定間隔に保持されている。そして、内部側型枠７ｂ及び外部側型枠７aそれぞれは、桟木３１の外側に横端太３３が渡され、横端太３３それぞれを抑え座金及びボルト３４で締め付けて通りがよくなるように支持されている。また、内部側型枠７ｂの抑え座金及びボルト３４には、外壁用型枠が倒壊しないようにパイプサポート３５及びワイヤーロープ・ターンバックル３６が取り付けられている。また、内部側型枠７ｂの上端部７ｃは、スラブ型枠に固定されている。
本実施形態のたわみ修正具２は、長尺部位１１を下側に、短尺部位１２を上側に向ける。そして、外部側型枠７aと横端太３３との間の隙間Gに、長尺部位１１を挿入すると共に、掛止部材１４を外部側型枠（せき板）７aに掛止することにより設置することができる。そして、長尺部位１１は、外部側型枠（せき板）７aの上端から３番目の横端太３３よりも下側に至る長さがあるので、抑え座金及びボルト３４で固定しなくても外部側型枠（せき板）７aに十分固定される。
ただし、外部側型枠７aを前方に押し出すことによりたわみ修正を行う場合は、たわみ修正を行う位置の外部側型枠７aに桟木３１を取りつけ、その桟木３１に係合部材１５を係合させることにより行うことができる。
【符号の説明】
【００１５】
１    第１実施形態のたわみ修正具
２    第２実施形態のたわみ修正具
３、４  本体部    
５    第１移動手段
６    第２移動手段
７    外壁用型枠
７a  外部側型枠
7b    内部側型枠
１１    長尺部位
１２    短尺部位
１３    中間部位
１４    掛止部材
１４a  短辺
１４ｂ、１５ｂ  穴
１４ｃ、１５ｃ  小片
１５    係合部材
１５ｄ  ねじ孔
１６    貫通孔
１７    第１ナット
１８  第２ナット
１９  つまみ付第１長尺ボルト
２０  つまみ付第２長尺ボルト
２１    つまみ付短尺ボルト
３０  せき板
３１  桟木
３２  セパレータ
３３  横端太
３４  抑え座金及びボルト
３５  パイプサポート
３６  ワイヤロープ・ターンバックル
３７  スラブ引きコマ
【図１】
0003208028.tif 000003
【図２】
0003208028.tif 000004
【図３】
0003208028.tif 000005
【図４】
0003208028.tif 000006
【図５】
0003208028.tif 000007
【図６】
0003208028.tif 000008
【図７】
0003208028.tif 000009
【図８】
0003208028.tif 000010
【図９】
0003208028.tif 000011
【図１０】
0003208028.tif 000012
【図１１】
0003208028.tif 000013
【図１２】
0003208028.tif 000014
【図１３】
0003208028.tif 000015